【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
下記の（i）〜（ｖ）の要件を満たす共重合体（Ａ）と、
溶媒と、
を含む、組成物。
（i）４−メチル−１−ペンテンおよび／または３−メチル−１−ペンテンに由来する構成単位を５０〜９５モル％含み、炭素原子数２〜４のαーオレフィンに由来する構成単位を５〜５０モル％含む共重合体である
（ｉｉ）１３５℃デカリン中で測定した極限粘度［η］が０．５〜５．０（ｄｌ／ｇ）である
（ｉｉｉ）ＤＳＣで測定した融点（Ｔｍ）が２００℃以下、もしくは実質的に融点が存在しない
（ｉｖ）密度が８２０〜８５０（ｋｇ／ｍ３）である
（ｖ）ゲルパーミエーションクロマトグラフィー（ＧＰＣ）で測定する重量平均分子量（Ｍｗ）と数平均分子量（Ｍｎ）との比である分子量分布（Ｍｗ／Ｍｎ）が１．０〜３．５である
【請求項２】
前記共重合体（Ａ）が、４−メチル−１−ペンテンおよび／または３−メチル−１−ペンテンに由来する構成単位を５０〜９５モル％含み、炭素原子数３のαーオレフィンに由来する構成単位を５〜５０モル％含む共重合体である、請求項１に記載の組成物。
【請求項３】
共重合体（Ａ）を、組成物１００重量％に対して０．１〜９５重量％含む、請求項１または２に記載の組成物。
【請求項４】
前記溶媒が２５℃における比誘電率が５以下の溶媒である、請求項1〜３のいずれか一項に記載の組成物。
【請求項５】
前記溶媒が、ｎ−ヘキサン、ｎ−ヘプタン、ｎ−オクタン、ナフテン系溶剤、イソパラフィン系溶剤及び芳香族系溶剤からなる群より選択される少なくとも１種の溶媒である、請求項１〜４のいずれか一項に記載の組成物。
【請求項６】
前記共重合体（Ａ）が活性水素含有官能基、酸無水物基及びエポキシ基からなる群から選ばれる官能基を少なくとも１つ以上有する、請求項１〜５のいずれか一項に記載の組成物。
【請求項７】
さらに、活性水素含有官能基、酸無水物基及びエポキシ基からなる群から選ばれた官能基を有する樹脂（Ｂ）を含む、請求項１〜６のいずれか一項に記載の組成物。
【請求項８】
請求項１〜７のいずれか一項に記載の組成物を含む、コーティング剤。
【請求項９】
請求項１〜７のいずれか一項に記載の組成物または請求項８に記載のコーティング剤を塗布する第一の工程と、前記組成物中の溶媒を除去する第二の工程と、を含む、フィルムの製造方法。
【請求項１０】
下記の（i）〜（ｖ）の要件を満たす共重合体（Ａ）と、
溶媒と、を含む、フィルムであって、前記フィルム１００重量％に対して前記溶媒を０．００１〜０．５重量％含むフィルム。
（i）４−メチル−１−ペンテンおよび／または３−メチル−１−ペンテンに由来する構成単位を５０〜９５モル％含み、エチレン及び炭素原子数３〜４のαーオレフィンからなる群から選ばれる少なくとも１種類のオレフィンに由来する構成単位を５〜５０モル％含む共重合体である
（ii）１３５℃デカリン中で測定した極限粘度［η］が０．５〜５．０（ｄｌ／ｇ）である
（iii）ＤＳＣで測定した融点（Ｔｍ）が２００℃以下もしくは実質的に融点が存在しない
（iv）密度が８２０〜８５０（ｋｇ／ｍ３）である
（v）ゲルパーミエーションクロマトグラフィー（ＧＰＣ）で測定する重量平均分子量（Ｍｗ）と数平均分子量（Ｍｎ）との比である分子量分布（Ｍｗ／Ｍｎ）は１．０〜３．５である
【請求項１１】
請求項１０に記載のフィルムからなる層（Ｘ）と、活性水素含有官能基、酸無水物基及びエポキシ基からなる群から選ばれる官能基を有する樹脂（Ｂ）を含む層（Ｙ）と、の積層フィルム。
【請求項１２】
請求項１０に記載のフィルムを備えた、キャパシタ。
【請求項１３】
請求項１０に記載のフィルムまたは請求項１１に記載の積層フィルムにおける層（Ｘ）を最表面の少なくとも一部に備えた離型フィルム。
【手続補正２】
【補正対象書類名】明細書
【補正対象項目名】０００８
【補正方法】変更
【補正の内容】
【０００８】
すなわち、本願の第一の発明は以下の組成物に関する。
[１]下記の（i）〜（ｖ）の要件を満たす共重合体（Ａ）と、溶媒と、を含む、組成物。
（i）４−メチル−１−ペンテンおよび／または３−メチル−１−ペンテンに由来する構成単位を５０〜９５モル％含み、炭素原子数２〜４のαーオレフィンに由来する構成単位を５〜５０モル％含む共重合体である（ｉｉ）１３５℃デカリン中で測定した極限粘度［η］が０．５〜５．０（ｄｌ／ｇ）である（ｉｉｉ）ＤＳＣで測定した融点（Ｔｍ）が２００℃以下、もしくは実質的に融点が存在しない（ｉｖ）密度が８２０〜８５０（ｋｇ／ｍ３）である（ｖ）ゲルパーミエーションクロマトグラフィー（ＧＰＣ）で測定する重量平均分子量（Ｍｗ）と数平均分子量（Ｍｎ）との比である分子量分布（Ｍｗ／Ｍｎ）が１．０〜３．５である
[２]前記共重合体（Ａ）が、４−メチル−１−ペンテンおよび／または３−メチル−１−ペンテンに由来する構成単位を５０〜９５モル％含み、炭素原子数３のαーオレフィンに由来する構成単位を５〜５０モル％含む共重合体である、[１]に記載の組成物。
[３]共重合体（Ａ）を、組成物１００重量％に対して０．１〜９５重量％含む、[１]または[２]に記載の組成物。
[４]前記溶媒が２５℃における比誘電率が５以下の溶媒である、[１]〜[３]のいずれか一項に記載の組成物。
[５]前記溶媒が、ｎ−ヘキサン、ｎ−ヘプタン、ｎ−オクタン、ナフテン系溶剤、イソパラフィン系溶剤及び芳香族系溶剤からなる群より選択される少なくとも１種の溶媒である[１]〜[４]のいずれか一項に記載の組成物。
[６]前記共重合体（Ａ）が活性水素含有官能基、酸無水物基及びエポキシ基からなる群から選ばれる官能基を少なくとも１つ以上有する[１]〜[５]のいずれか一項に記載の組成物。
[７]さらに、活性水素含有官能基、酸無水物基及びエポキシ基からなる群
から選ばれた官能基を有する樹脂（Ｂ）、を含む、[１]〜[６]のいずれか一項に記載の組成物。
[８][１]〜[７]のいずれか一項に記載の組成物を含む、コーティング剤。
【手続補正３】
【補正対象書類名】明細書
【補正対象項目名】０００９
【補正方法】変更
【補正の内容】
【０００９】
本願の第二の発明は以下の製造方法に関する。
[９][１]〜[７]のいずれか一項に記載の組成物または［８］に記載のコーティング剤を塗布する第一の工程と、前記組成物中の溶媒を除去する第二の工程と、を含む、フィルムの製造方法。
【手続補正４】
【補正対象書類名】明細書
【補正対象項目名】００１０
【補正方法】変更
【補正の内容】
【００１０】
本願の第三の発明は以下のフィルム等に関する。
[１０]下記の（i）〜（ｖ）の要件を満たす共重合体（Ａ）と、溶媒と、を含む、フィルムであって、前記フィルム１００重量％に対して前記溶媒を０．００１〜０．５重量％含むフィルム。（i）４−メチル−１−ペンテンおよび／または３−メチル−１−ペンテンに由来する構成単位を５０〜９５モル％含み、エチレン及び炭素原子数３〜４のαーオレフィンからなる群から選ばれる少なくとも１種類のオレフィンに由来する構成単位を５〜５０モル％含む共重合体である（ii）１３５℃デカリン中で測定した極限粘度［η］が０．５〜５．０（ｄｌ／ｇ）である（iii）ＤＳＣで測定した融点（Ｔｍ）が２００℃以下もしくは実質的に融点が存在しない（iv）密度が８２０〜８５０（ｋｇ／ｍ３）である（v）ゲルパーミエーションクロマトグラフィー（ＧＰＣ）で測定する重量平均分子量（Ｍｗ）と数平均分子量（Ｍｎ）との比である分子量分布（Ｍｗ／Ｍｎ）は１．０〜３．５である
[１１][１０]に記載のフィルムからなる層（Ｘ）と、活性水素含有官能基、酸無水物
基及びエポキシ基からなる群から選ばれる官能基を有する樹脂（Ｂ）と、を含む層（Ｙ）の積
層フィルム。
[１２][１０]に記載のフィルムを備えた、キャパシタ。
[１３][１０]に記載のフィルムまたは[１１]に記載の積層フィルムにおける層（Ｘ）を最表面の少なくとも一部に備えた離型フィルム。